(57)【要約】      （修正有）【課題】図柄の表示に立体感があり、組み立てが容易な図柄発光装置を提供する。【解決手段】図柄発光装置１は、ランプホルダー１０と、ランプホルダー１０の一方側に配置される光源Ｌと、ランプホルダー１０の上に設けられて光源Ｌを受けて上向へ引導する導光板２０と、導光板２０の上に設けられて導光板２０からの光を均一にする拡散フィルム３０と、遮蔽板４０と、外ランプハウジング５０とを備える。外ランプハウジング５０の第２の図柄５２と遮蔽板４０の第１の図柄４２を積み重ねて輪郭透光効果を形成する。第２の図柄５２は第１の図柄４２よりも小さく、第２の図柄５２は第１の図柄４２に対応する。又は、遮蔽板４０に第１の図柄５２及び第２の図柄４２が形成され、輪郭透光効果を形成する。【選択図】図１
0003215878.tif 000002
【実用新案登録請求の範囲】
【請求項１】
ランプホルダーと、
光源と、
透光できる第１の図柄が形成されて、前記第１の図柄の輪郭の外側にある領域が透光しないように形成される遮蔽板と、
前記遮蔽板の上に設けられて前記ランプホルダーに連結されている外ランプハウジングとを備え、
前記外ランプハウジングには、前記第１の図柄と対応するように前記第１の図柄より小さくて透光しない第２の図柄が形成され、
前記第２の図柄を前記第１の図柄に積み重ねることにより、前記第２の図柄の輪郭と前記第１の図柄の輪郭との間にある輪郭図柄発光域を形成する、ことを特徴とする図柄発光装置。
【請求項２】
前記外ランプハウジングにおける前記第２の図柄以外の部分が透光できるように形成され、
前記第２の図柄は陥凹状に前記外ランプハウジングの内側に形成されていることを特徴とする請求項１に記載の図柄発光装置。
【請求項３】
前記外ランプハウジングには、陥凹処にめっきをすることにより、透光しない前記第２の図柄を形成することを特徴とする請求項２に記載の図柄発光装置。
【請求項４】
前記遮蔽板は透光基層を備え、
該透光基層の表面に、前記第１の図柄輪郭の外側にある領域に透光しない遮蔽エリアが印刷形成されていることを特徴とする請求項１に記載の図柄発光装置。
【請求項５】
前記遮蔽板は、透光する前記第１の図柄において、前記遮蔽板にテキストパターンの輪郭図柄発光域を形成するように、前記第１の図柄より小さくて透光しない第３の図柄が印刷形成されて、
前記第３の図柄のテキストパターンは前記外ランプハウジングの前記第２の図柄とほぼ同じであることを特徴とする請求項１に記載の図柄発光装置。
【請求項６】
ランプホルダーと、
光源と、
透光する第１の図柄が形成され、前記第１の図柄の内側に位置され前記第１の図柄よりも小さくて透光しない第２の図柄が付着されることにより、前記第２の図柄の輪郭と前記第１の図柄の輪郭の間に輪郭図柄発光域が形成され、前記第１の図柄の輪郭の外側にある領域が透光しない遮蔽板と、
前記遮蔽板の上に設けられると共に前記ランプホルダーに連結されて透光できる外ランプハウジングと、
を備えることを特徴とする図柄発光装置。
【請求項７】
前記第２の図柄は高周波溶接の方式で透光しない材料を前記第１の図柄に圧入するように形成されることを特徴とする請求項６に記載の図柄発光装置。
【請求項８】
前記第２の図柄は前記遮蔽板の上面よりもわずかに高いとなることを特徴とする請求項６に記載の図柄発光装置。
【請求項９】
前記遮蔽板は透光基層を備え、
該透光基層の表面に、前記第１の図柄輪郭の外側にある領域に透光しない遮蔽エリアが印刷形成されていることを特徴とする請求項６に記載の図柄発光装置。
【請求項１０】
前記第２の図柄は、透光する前記第１の図柄の内部に印刷されるインナー図柄に付着されて、
前記インナー図柄のテキストパターンと前記第２の図柄のテキストパターンとはほぼ同じであることを特徴とする請求項６に記載の図柄発光装置。
【考案の詳細な説明】
【技術分野】
【０００１】
本考案は図柄発光装置に関し、特に図柄が輪郭発光効果を有する装飾装置であり、例えば、自動車のドアを開けた時に車体の敷居位置にある敷居ステップ発光装置である。
【背景技術】
【０００２】
現在の図柄発光装置はさまざまな用途に応用されている。例えば、それを自動車のドアエッジの下方にある敷居ステップに配置されることにより、車を乗り降りするときに敷居の位置を発光表示して乗り降りすることを導引することができると共に、装飾の機能もある。なお、現在の図柄発光装置のテキストのほとんどは、中実の文字形状の発光効果を示し、様式が平面化で視覚効果も単調で目立つ効果がないことになる。
【考案の概要】
【考案が解決しようとする課題】
【０００３】
本考案は図柄発光装置を提供する。前記図柄発光装置は、図柄輪郭状の発光造形を形成し、発光する立体的の図柄表示効果を示している。図柄の表示はより立体感があり、組み立てもより容易となる。
【課題を解決するための手段】
【０００４】
上記の目的を達成するために、本考案において一つの実施例の図柄発光装置を提供する。該図柄発光装置は、ランプホルダーと、光源と、第１の図柄が形成されている遮蔽板と、外ランプハウジングとを備えている。前記第１の図柄は透光できる。前記遮蔽板における前記第１の図柄の輪郭外側の領域は透光しない。前記外ランプハウジングは前記遮蔽板の上に設けられて前記ランプホルダーに連結されている。その中、前記外ランプハウジングに第２の図柄が形成されている。該前記第２の図柄は透光しない。前記第２の図柄は前記第１の図柄と対応する。前記第２の図柄は前記第１の図柄よりも小さい。前記第２の図柄は前記第１の図柄の上方にて、位於前記第２の図柄の輪郭と前記第１の図柄と輪郭の間に、輪郭図柄発光域を形成する。
【０００５】
上記の目的を達成するために、本考案において他の実施例の図柄発光装置を提供する。該図柄発光装置は、ランプホルダーと、光源と、遮蔽板と外ランプハウジングとを備えている。前記遮蔽板には第１の図柄が形成されると共に第２の図柄が付着されている。前記第２の図柄は前記第１の図柄の内側に位置され、前記第１の図柄よりも小さくなっている。それにより、輪郭前記第２の図柄の輪郭と前記第１の図柄の輪郭との間に位置された図柄発光域を形成する。前記遮蔽板における前記第１の図柄輪郭外側の領域は透光しない。前記外ランプハウジングは透光できて、前記遮蔽板の上に設けられて前記ランプホルダーに連結されている。
【考案の効果】
【０００６】
本考案の有利な効果として、本考案の実施例が提供する図柄発光装置は、外ランプハウジングに第１の図柄よりも小さく形成される透光しない第２の図柄と、遮蔽板における透光する第１の図柄とを積み重ねることにより輪郭透光効果が形成されている。上記により、図柄の輪郭発光効果を形成し得て、遮蔽板に直接に線形状の輪郭光形状を形成することができる。それにより、図柄発光装置が示す図柄をより立体感のあるものにすることができる。
【０００７】
本考案の特徴及び技術内容がより一層分かるように、以下本考案に関する詳しい説明と添付図面を参照するが、提供される添付図面は、参考と説明を提供するためのものに過ぎず、本考案を制限するためのものではない。
【図面の簡単な説明】
【０００８】
【図１】本考案における図柄発光装置の第１の実施例を示す分解立体図である。
【図１Ａ】図１におけるＡ部分を示す局部拡大図である。
【図２】本考案における図柄発光装置の第１の実施例を示す正面図である。
【図３】本考案における図柄発光装置の第１の実施例を示す断面図である。
【図４】本考案における図柄発光装置の第２の実施例を示す分解立体図である。
【図４Ａ】図４におけるＡ部分を示す局部拡大図である。
【図５】本考案における図柄発光装置の第２の実施例を示す正面図である。
【図６】本考案における図柄発光装置の第２の実施例を示す断面図である。
【図７】本考案における図柄発光装置の第３の実施例を示す分解立体図である。
【図７Ａ】図７におけるＡ部分を示す局部拡大図である。
【図８】本考案における図柄発光装置の第３の実施例を示す正面図である。
【図９】本考案における図柄発光装置の第３の実施例を示す断面図である。
【考案を実施するための形態】
【０００９】
［第１の実施例］
図１と図２を参照する。図１及び図２は、本考案における図柄発光装置を示す分解立体図及び正面図である。本考案はランプホルダー１０と、光源Ｌと、導光板２０と、拡散フィルム３０と、遮蔽板４０と、外ランプハウジング５０を備える図柄発光装置１を提供する。光源Ｌはランプホルダー１０の一方側に配置されている。導光板２０はランプホルダー１０の上に設けられて光源Ｌからの光線を受けて上向へ引導する。拡散フィルム３０は導光板２０の上に設けられて導光板２０から転送された光線を均一にする。遮蔽板４０は拡散フィルム３０の上に設けられている。外ランプハウジング５０は遮蔽板４０の上に設けられてランプホルダー１０に連結されている。光源Ｌはこの実施例においてはＬＥＤランプである。
【００１０】
前記拡散フィルム３０は透光素子である。拡散フィルム３０の役割は光源を再配置することである。拡散フィルム３０は、光源を均一の面状光又は他の特殊形状の光源に分散することができる。点光源であるＬＥＤランプの光源Ｌは、拡散フィルム３０により光線が拡散されて均一されることができる。拡散フィルム３０はＰＥＴフィルムにより形成されてもよい。ＰＥＴフィルムの表面に散乱粒子を加えるアクリル樹脂の層を塗布する。または、ＰＥＴフィルムにＵＶ感光性材料の層を塗布して、微細結構が刻印されたスチールホイール（結構ホイール）によりインプリントされて、感光性材料に微細結構を転写して、紫外線により固化する。
【００１１】
図１を参照する。前記遮蔽板４０には第１の図柄４２が形成されている。前記第１の図柄４２は透光できるが、前記遮蔽板４０における前記第１の図柄４２輪郭外側の領域は透光しない。前記外ランプハウジング５０には第２の図柄５２が形成されている。前記第２の図柄５２は透光しないが、外ランプハウジング５０における第２の図柄５２以外の部分は透光できるように構成されている。前記第２の図柄５２は第１の図柄４２に対応する。図柄については、図形、文字形状、またはシンボルを含んでいる。原則として、第２の図柄５２のパターンは前記第１の図柄４２と同じで、前記第２の図柄５２のサイズが前記第１の図柄４２よりも小さい。前記第２の図柄５２は前記第１の図柄４２の上方に積み重ねている。
【００１２】
本考案は前記外ランプハウジング５０と遮蔽板４０とを互いに積み重ねるデザインにより、前記第２の図柄５２の輪郭と前記第１の図柄４２の輪郭との間に輪郭図柄発光域Ｓを形成することができる。前記拡散フィルム３０から転送された光線が前記輪郭図柄発光域Ｓに通過して前記外ランプハウジング５０の前記第２の図柄５２以外の領域より透かし出す。本実施例は外ランプハウジング５０と遮蔽板４０により輪郭透光効果を形成する。上記のような積み重ねた結構設計は、第２の図柄５２が第１の図柄４２の上方に位置され、外ランプハウジング５０の第２の図柄５２によりシェルターされる文字造形はより立体感がある。
【００１３】
図１及び図１Ａを参照する。本考案の遮蔽板４０及び第１の図柄４２の製作について例として示している。遮蔽板４０は透光基層４０１、例えば透明プラスチックシートを備えている。遮蔽板４０の第１の図柄４２の輪郭外側の領域においてスクリーン印刷により透光しない遮蔽エリアが透光基層４０１の表面に形成されている。そのコーティングは反射コーティング、遮光コーティング、又は暗色系のコーティングであってもよい。第１の図柄４２の部分は光を透過させるように遮光コーティングを塗布しないようにする。
【００１４】
なお、本考案は上記の製作方法に限定されない。本実施例の第１の図柄４２が透光できるようにする他の実施形態は、遮蔽板４０の全体が不透明な材質からなり、遮蔽板４０に中空な第１の図柄４２が形成されているということである。
【００１５】
図１及び図３を参照する。本実施例の前記第２の図柄５２の透光しない構成について、外ランプハウジング５０は透光できる材料で製作されて、外ランプハウジング５０の内面に陥凹状の第２の図柄５２が形成されて、テキストパターンをより立体的にする。第２の図柄５２に透明しない視覚効果を持たせるために、第２の図柄５２の陥凹処にめっきを行い、透光しないテキストパターンが形成される。上記に述べた透光しないことは第１の図柄４２に対応して遮光効果が形成されることと示しているが、完全に透光しないこともない。また、本考案は上記に限定されるものではなく、第２の図柄５２は遮光コーティングを外ランプハウジング５０の内面に直接に塗布するように形成されてもよい。
【００１６】
また図１を参照する。前記ランプホルダー１０には通気孔１０１が設けられている。前記通気孔１０１は前記光源Ｌと近接されて、前記光源Ｌからの熱を放熱することができる。前記図柄発光装置１はさらに前記通気孔１０１を覆う通気パッド１４を備えている。
【００１７】
前記ランプホルダー１０はさらにワイヤハーネス部１２及び光源固定溝１３を備えている。前記ワイヤハーネス部１２は前記ランプホルダー１０の一方側に配置され、前記光源固定溝１３は前記ワイヤハーネス部１２の内側に配置され、前記通気孔１０１は前記光源固定溝１３及び前記ワイヤハーネス部１２の間に配置されている。光源固定溝１３の方向は前記光線の出光方向と直交されている。ワイヤハーネス部１２は光源ＬのワイヤＣを拘束固定することができる。また、本実施例のワイヤハーネス部１２は仕切り壁１２１及びワイヤ溝１２２を備えている。前記仕切り壁１２１は前記光源Ｌの出光方向と直交されている。前記ワイヤ溝１２２は湾曲されるように前記ランプホルダー１０の一方側まで連通されている。
【００１８】
前記ランプホルダー１０はさらに斜面状に形成されている組み立て認識部１６を備えて、前記組み立て認識部１６は前記光源固定溝１３の一端に位置されている。本実施例の導光板２０、拡散フィルム３０、及び遮蔽板４０は長方形に形成されているが、それに制限されてなく、例えば、楕円形などの形状に形成されてもよい。組み立て認識部１６と対応するように、前記導光板２０、拡散フィルム３０、及び遮蔽板４０はそれぞれ、いずれかのコーナーが面取り状に形成されている。組み立て認識部１６により、組立の時に導光板２０、拡散フィルム３０、及び遮蔽板４０の方位を認識することができる。
【００１９】
次に、本実施例の組立ステップを説明する。まず、ＬＥＤランプの光源Ｌを光源固定溝１３に差し込んで固定する。ＬＥＤランプのワイヤはワイヤハーネス部１２に固定されている。そして、導光板２０を輪郭に従いランプホルダー１０内に定位して、光源Ｌを導光板２０の短辺に位置合わせるようにする。光源Ｌの光線は、導光板２０に平行する方向（Ｘ方向）に沿って導光板２０に入射され、導光板２０を介して方向が変わって、導光板２０と直行する方向（Ｚ方向）から射出される。そして、拡散フィルム３０を輪郭に従いランプホルダー１０内に定位すると共に導光板２０上に配置する。拡散フィルム３０は導光板２０における複数の出光点を均一させる。また、遮蔽板４０を輪郭に従いランプホルダー１０内に定位して拡散フィルム３０上に配置する。それにより、均一光は第１の図柄４２のみを通過して、大部分の光は遮蔽板４０によって遮られる。最後に外ランプハウジング５０をランプホルダー１０上に固定する。固定には、接着剤で接着するか係合する方式にしてもよい。前記第２の図柄５２が前記第１の図柄４２よりも小さくされていることによって、第１の図柄４２の光線は第２の図柄５２により遮られて、線形状な輪郭状発光形が現れる。
［第２の実施例］
【００２０】
図４ないし図６を参照する。図４ないし図６は、本考案における図柄発光装置第２の実施例である。第２の実施例は第１の実施例とほぼ同様であるが、差異点は遮蔽板４０ａにある。遮蔽板４０ａは透光できる第１の図柄４２において、スクリーン印刷によってより小さくて透光しない第３の図柄４２３が形成されることにより、テキストパターンの輪郭図柄発光域Ｓが形成されている。第３の図柄４２３のテキストパターンは外ランプハウジング５０の第２の図柄５２とほぼ同じであり、光漏れを防止するために第２の図柄５２のテキストパターンの不透光度を高めるためのものである。図６に示すように、第３の図柄４２３のサイズも第２の図柄５２のサイズとほぼ同じである。
【００２１】
図６に示すように、さらに具体的に言えば、遮蔽板４０ａは透光基層４０１、例えば透明なプラスチックシートを備えている。遮蔽板４０ａの第１の図柄４２の輪郭外側の領域において、スクリーン印刷により透光しない遮蔽エリアが透光基層４０１の表面に形成されている。そのコーティングは反射コーティング、遮光コーティング、又は暗色系のコーティングであってもよい。第１の図柄４２の部分は光を透過させるように遮光コーティングを塗布しないようにする。第３の図柄４２３は透光できる第１の図柄４２の内部に印刷されている。
［第３の実施例］
【００２２】
図７ないし図９を参照する。本考案はさらに第３の実施形態の図柄発光装置１ｂを提供する。それは上記の実施例と同様に輪郭透光効果を与える。それは、ランプホルダー１０、光源Ｌ、拡散フィルム３０、遮蔽板４０ｂ、及び外ランプハウジング５０ｂを備えている。上記の実施例との差異点については、図７Ａに示すように、遮蔽板４０ｂは線形状の輪郭状発光効果を直接に形成することになる。遮蔽板４０ｂは拡散フィルム３０の上に設けられる。遮蔽板４０ｂに透光できる第１の図柄４１が形成されると共に透光しない第２の図柄４３が付着されている。第２の図柄４３は第１の図柄４１の内側に配置され、そのサイズは第１の図柄４１のサイズよりも小さい。それにより、輪郭図柄発光域Ｓが前記第２の図柄４３の輪郭と前記第１の図柄４１の輪郭との間に形成されている。前記遮蔽板４０ｂにおける前記第１の図柄４１の輪郭外側の領域は透光しない。
【００２３】
遮蔽板４０ｂは透光基層４０１、例えば透明なプラスチックシートを備えている。遮蔽板４０ｂの第１の図柄４１の輪郭外側の領域において、スクリーン印刷により透光しない遮蔽エリアが透光基層４０１の表面に形成されている。
【００２４】
第２の図柄４３は高周波溶接の方式で、透光しない材料を透光できる第１の図柄４１に圧入するように形成される。立体感のあるパターンを生成するように前記第２の図柄４３は遮蔽板４０ｂの上面よりやや高く設けられてもよい。第２の図柄４３の上面のカラーは遮蔽板４０ｂの上面のカラーと異なっていてもよい。
【００２５】
遮蔽板４０ｂの更なる態様については、第２の実施例の遮蔽板を基にして、透光できる第１の図柄４１の内部に印刷されたインナー図柄４１３に第２の図柄４３を付着するようにすることである（図７Ａに示すように）。本実施例のインナー図柄４１３は第２の実施例の第３の図柄と似ていて、インナー図柄４１３のテキストパターンは第２の図柄４３のテキストパターンとほぼ同じである。同様に、第２の図柄４３は高周波溶接の方式で透光しない材料をインナー図柄４１３上に圧入するように形成されてもよい。なお、本考案は上記の製法を制限しない。例えば、粘着や貼り合わせの方式にしてもよい。
【００２６】
外ランプハウジング５０ｂは透光できる材料からなり、第１の実施例と異なり、外ランプハウジング５０ｂには何れの図柄も設けられていない。外ランプハウジング５０ｂは前記遮蔽板４０ｂの上に配置されて前記ランプホルダー１０と連結されている。図９に示すように、前記拡散フィルム３０から転送された光線が前記輪郭図柄発光域Ｓを通過して前記外ランプハウジング５０ｂの外まで透かす。第３の実施例は上記の実施例と比べた利点については、組立がより容易に行うことができる。第３の実施例のテキストは遮蔽板４０ｂに直接に形成される。それにより、外ランプハウジングの第２の図柄と遮蔽板の第１の図柄とのずれを避けることができる。
【００２７】
前記を纏めると、本考案の有利な効果としては、本考案実施例が提供する図柄発光装置は、外ランプハウジングと遮蔽板により輪郭透光効果が形成され、図柄の輪郭発光効果を形成することができる。また、遮蔽板４０ｂに線形状の輪郭状光形状を直接に形成することにより、図柄発光装置が示した図柄をより立体感を知覚させるものにすることもできる。
【００２８】
以上の説明は、本考案の好適な実施形態に過ぎず、本考案の実用新案登録請求の範囲に記載された均等な変更及び変形はすべて本考案の範囲内である。
【符号の説明】
【００２９】
１、１ａ、１ｂ  図柄発光装置
１０  ランプホルダー
１０１  通気孔
１２  ワイヤハーネス部
１２１  仕切り壁
１２２  ワイヤ溝
１３  光源固定溝
１４  通気パッド
１６  組み立て認識部
２０  導光板
３０  拡散フィルム
４０、４０ａ、４０ｂ  遮蔽板
４０１  透光基層
４１、４２  第１の図柄
４１３  インナー図柄
４３  第２の図柄
４２３  第３の図柄
５０、５０ｂ  外ランプハウジング
５２  第２の図柄
Ｓ  輪郭図柄発光域
Ｌ  光源
Ｃ  ワイヤ
【図１】
0003215878.tif 000003
【図１Ａ】
0003215878.tif 000004
【図２】
0003215878.tif 000005
【図３】
0003215878.tif 000006
【図４】
0003215878.tif 000007
【図４Ａ】
0003215878.tif 000008
【図５】
0003215878.tif 000009
【図６】
0003215878.tif 000010
【図７】
0003215878.tif 000011
【図７Ａ】
0003215878.tif 000012
【図８】
0003215878.tif 000013
【図９】
0003215878.tif 000014